(57)【要約】      （修正有）【課題】シャッターを降ろすだけで自動的に開口部全体を防水でき、大量の水や浮遊物が押し寄せても耐え得る防水機構付きシャッター装置を提供。【解決手段】各スラット２間の連結部４を、上段スラット下端部が下段スラット上端部に直接に当接せぬように間隔をもたせて、横長状の弾性パッキン５を介装し、各ガイドレール３と一体部分に横断面Ｌ型状部材を立設し、各スラット両側端にＬ型状部材に掛止される逆Ｌ型状の撓み防止部材を設け、シャッター本体１の外側面両側部の上・下部寄りに、倒立したＬ型状で傾斜縦面１０をもつ傾斜カム部材９を突設し、スプリング１２で屋外側へ付勢された縦長状の取付枠材１１を設け、その屋内側面にシャッター本体外側面へ当接可能な縦長状弾性パッキン１３を設け、取付枠材の上・下部寄りに、下降時のシャッター本体外側面と縦長状弾性パッキンが圧接可能に、上記傾斜カム部材を受ける受け部材１４を設ける。【選択図】図３
2010275789.tif 000002
【特許請求の範囲】
【請求項１】
多数枚の横長状スラット２を横軸の回りに屈曲可能に連結したシャッター本体１を、両側に垂設したガイドレール３に沿って昇降可能にすると共に、上方へ巻き上げ可能としたシャッター装置において、
上記シャッター本体１が下降時の外側面両側部の上・下部寄り位置に、側面図で見て下方が開きその奥内側に傾斜縦面１０をもつ傾斜カム部材９を各々突設し、
各ガイドレール３と一体の屋外側内に、屋内・外へ少し移動可能で、常時はスプリング１２にて屋外側へ付勢された縦長状の取付枠材１１を設けて、該取付枠材１１の屋内側面に、下降時のシャッター本体１の外側面へ当接可能となる縦長状の弾性パッキン１３を設け、
かつ、上記取付枠材１１の上・下部寄り位置に、シャッター本体１の外側面両側部と上記縦長状の弾性パッキン１３とを圧接可能に、上記傾斜カム部材９の傾斜縦面１０を当接する受け部材１４を設けることにより、
シャッター本体１の下降で自動的に、シャッター本体１の外側面両側部と上記縦長状の弾性パッキン１３とが圧接状態とする機構を備えた、防水機構付きシャッター装置。
【請求項２】
多数枚の横長状スラット２を横軸の回りに屈曲可能に連結したシャッター本体１を、両側に垂設したガイドレール３に沿って昇降可能にすると共に、上方へ巻き上げ可能としたシャッター装置において、
連結したスラット２間の連結部４で、上段のスラット２の下端部と下段のスラット２の上端部との間にゆとり間隔ｓを設けるとともに、シャッター本体１が下降した状態で、上段のスラット２の下端部が下段のスラット２の上端部に当接する前に上段のスラット２の下端部を支承可能な横長状の弾性パッキン５を設け、
各ガイドレール３と一体の部分に、横断面Ｌ型状部材７を立設すると共に、各スラット２の両側端に上記Ｌ型状部材７に掛止される逆Ｌ型状の撓み防止部材８を設け、
上記シャッター本体１が下降時の外側面両側部の上・下部寄り位置に、側面図で見て下方が開いた倒立Ｌ形状で、その奥内側に傾斜縦面１０をもつ傾斜カム部材９を突設し、
各ガイドレール３と一体の屋外側内に、屋内・外へ少し移動可能で、常時はスプリング１２にて屋外側へ付勢された縦長状の取付枠材１１を設けて、該取付枠材１１の屋内側面に、下降時のシャッター本体１の外側面へ当接可能となる縦長状の弾性パッキン１３を設け、
かつ、上記取付枠材１１の上・下部寄り位置に、下降時のシャッター本体１の外側面両側部と上記縦長状の弾性パッキン１３とを圧接可能に、上記傾斜カム部材９の傾斜縦面１０を当接する受け部材１４を設けてなる、防水機構付きシャッター装置。
【請求項３】
多数枚の横長状スラット２を横軸の回りに屈曲可能に連結したシャッター本体１を、両側に垂設したガイドレール３に沿って昇降可能にすると共に、上方へ巻き上げ可能としたシャッター装置において、
連結したスラット２間の連結部４で、上段のスラット２の下端部と下段のスラット２の上端部との間にゆとり間隔ｓ1 ，ｓ2 を設けるとともに、下段のスラット２の上端部上で奥外側に、シャッター本体１が下降した状態で上段のスラット２の下端部が下段のスラット２の上端部に当接する前に上段のスラット２の下端部を支承可能な横長状の弾性パッキン５を設け、
両側のガイドレール３と一体の縦長状のガイドレールボックス６内に、縦長状で平面図で見てＬ型状部材７を立設すると共に、各スラット２の両側端に上記Ｌ型状部材７に掛止される逆Ｌ型状の撓み防止部材８を設け、
上記シャッター本体１が下降時の外側面両側部の上・下部寄り位置に、側面図で見て下方が開いた倒立Ｌ型状で、その奥内側に傾斜縦面１０をもつ傾斜カム部材９を突設し、
各ガイドレールボックス６の屋外側内に、常時はスプリング１２にて屋外側へ付勢された縦長状の取付枠材１１を設けて、該取付枠材１１の内側面に、下降時のシャッター本体１の外側面へ当接可能となる縦長状の弾性パッキン１３を設け、
かつ、上記取付枠材１１の上・下部寄り位置に、下降時のシャッター本体１の外側面両側部と上記縦長状の弾性パッキン１３とを圧接可能に、上記傾斜カム部材９の傾斜縦面１０を当接する受け部材１４を設けてなる、防水機構付きシャッター装置。
【発明の詳細な説明】
【技術分野】
【０００１】
本発明は、高潮、津波、豪雨、河川の決壊、その他の原因で大量の溢れ出た水が、例えばビルや地下街、地下鉄構内、地下駐車場、地下室その他の入口へ押し寄せた際に、内部へ水が流入することを防止するための防水機構付きシャッター装置に関する。
【背景技術】
【０００２】
近時、集中豪雨や河川の決壊、高潮等により、溢れた大量の水が例えばビルの入口や地下街その他の地下空間の入口へ押し寄せて流入し、ビル内や地下空間等が浸水・水没して内部で人的・物的被害が生ずる事態を時々見聞する。また最近は地下街等の地下空間の利用がますます拡大している上に、地上に比べて地下空間では短時間で一気に水位が上昇するため、被害が大きくなることが多い。さらには、近時増加している臨海地の工場その他の建物では、巨大地震による津波による甚大な被害も想定されている。
【０００３】
それを防ぐ手段として従来は、ビルや地下空間への入口に防水板を立て掛けたり、砂袋を積み上げたりしていた。しかしこれでは、その作業に時間がかかり過ぎて、必要かつ充分な対策にならないことが多かった。特に、満潮時と重なって台風が襲来したような場合の高波や、近時発生が予想される東海沖大地震や南海沖大地震に伴う津波が発生したような場合には、より大量の水や流木その他の浮遊物が押し寄せるので、それでは到底役に立たず大きな被害の発生が心配されている。そこでこれまでも、防潮シャッター・防水シャッター装置等が考えられた。
【先行技術文献】
【特許文献】
【０００４】
【特許文献１】実開昭６１−１００７８９号公報  これは、多数本の横板状のスラットを横軸の回りに屈曲可能に連結したシャッター本体を、昇降可能としたシャッター装置において、その下部寄りでスラット間から水が流入するのを防止するため、床面下のケース内に防水シートを収納しておき、シャッター本体を下ろした状態で、必要時に上記防水シートを引出して下部寄りのスラットに係止させるもの。これに類するものとして、実開平１−１０７７９６号公報に記載のものもある。
【０００５】
【特許文献２】実開昭６２−１３１０９３号公報  これは、互いに横軸の回りに屈曲可能に連結した横板状のスラットの下部寄りを、縦幅が大きい防水板を用いてシャッター本体としたもので、シャッター本体を降ろした際に下部が防水板であることで、内部への水の流入を防止しようとするものである。
【０００６】
【特許文献３】実開平１−１０７７９６号公報  これは、互いに横軸の回りに屈曲可能に連結した横板状のスラットの下部寄りを、防水シートを用いてシャッター本体としたもので、シャッター本体を降ろした際に床面近くに防水シートがくるようにしたもの。これに類するものとして、実公平６−１６０９８号公報に記載のものもある。
【０００７】
【特許文献４】実開平３−１１３０９３号公報  これは、互いに横軸の回りに屈曲自在に連結した横板状のスラットの下部寄りを、上記引用文献３のような防水シートではなく、スラットと同様の複数枚の防水パネルとして、シャッター本体としたものである。これに類するものとして、例えば実開平４−６６２８８号公報に記載のものもある。
【発明の概要】
【発明が解決しようとする課題】
【０００８】
ところが、上記従来のものには次のような問題点がある。
イ）上記特許文献１で示されるような、シャッター本体の複数枚のスラットの下部寄りに、床面下に別途設けた防水シートを引き上げて係止させるものでは、シャッターの下降以外に防水シートを引き上げる作業が必要となるし、特に夜間に防水シートを引き上げようとしても作業者がいない場合がある。またその防水シートの両側や下部で、充分に防水効果がでているかどうかを確認する必要がある。
【０００９】
ロ）上記特許文献２で示されるような、シャッター本体のスラット下部に防水板を設けたものは、シャッターを巻き上げた際に防水板の部分が巻き上げられず、下方へ垂れ下がってしまい、入口等を充分に開口できなかった。
【００１０】
ハ）上記特許文献３で示されるような、シャッター本体のスラットの下部を防水シートにしたものは、巻き上げ時に防水シートも巻き上げられるが、津波や高潮等で大量の水が押し寄せた際には、防水シートではシャッターとしての役目を充分に果たすには不十分であり、水位が余り高くならない場合の言わば都市型の浸水対策用のものであった。
【００１１】
ニ）上記特許文献４で示されるような、シャッター本体のスラットの下部を防水パネルとしたものも、防水パネルの下縁部と床面との間は勿論のこと、防水パネルの連結部や両側の各スラットとガイドレールとの間等でも水の流入が生じ、やはり防水シャッター・防潮シャッターとしては充分ではなく、やはり都市型の浸水対策用のものであった。
【００１２】
本発明は、上記従来の手段がもつ問題点の解決を課題としたものである。即ち、本発明の目的は、比較的シンプルな構成で、シャッター本体を開ける際には完全に上方へ巻き上げ可能で入口等を充分広く開口でき、またシャッターを降ろすだけで自動的に、各スラットの連結部や各スラットと両側のレールとの間等で、大量の水が押し寄せても水位に関係なく開口部の全体で充分に防水できるとともに、押し寄せた大量の水の圧力にも耐え得る頑強性を有する、防水機構付きシャッター装置を提供することになる。
【課題を解決するための手段】
【００１３】
本発明に係る防水機構付きシャッター装置は、
多数枚の横長状スラット２を横軸の回りに屈曲可能に連結したシャッター本体１を、両側に垂設したガイドレール３に沿って昇降可能にすると共に、上方へ巻き上げ可能としたシャッター装置において、
連結したスラット２間の連結部４を、上段のスラット２の下端部と下段のスラット２の上端部との間に、相互間で少し可動なゆとり間隔ｓを設けるとともに、シャッター本体１が下降した状態で、上段のスラット２の下端部が下段のスラット２の上端部に当接する前に上段のスラット２の下端部を支承可能な横長状の弾性パッキン５を設け、
各ガイドレール３と一体の部分に、横断面Ｌ型状部材７を立設すると共に、各スラット２の両側端に上記Ｌ型状部材７に掛止される逆Ｌ型状の撓み防止部材８を設け、
上記シャッター本体１が下降時の外側面両側部の上・下部寄り位置に、側面図で見て下方が開いた倒立Ｌ型状で、奥内側に傾斜縦面１０をもつ傾斜カム部材９を突設し、
各ガイドレール３と一体の屋外側に、常時はスプリング１２にて屋外側へ付勢された縦長状の取付枠材１１を設けて、該取付枠材１１の内側面に、下降時の該シャッター本体１の外側面へ当接可能となる縦長状の弾性パッキン１３を設け、
かつ、上記取付枠材１１の上・下部寄り位置に、下降時のシャッター本体１の外側面両側部と上記縦長状の弾性パッキン１３とを圧接可能に、上記傾斜カム部材９の傾斜縦面１０を当接する受け部材１４を設けたものである。
【００１４】
上記構成において、シャッター本体１の上・下部寄り位置に設けた傾斜カム部材９や、取付枠材１１の上・下部寄り位置に設けた受け部材１４は、シャッター本体１の下降時に上・下部寄り位置で互いに干渉し合わないように、左右へ二列に食い違い状に配置してある。また上記シャッター本体１のスラット２の室外側には、ドラムで巻き上げた際に上記傾斜カム部材９が障害とならぬように、傾斜カム部材を係合可能な凹部２０が形成されている。ここで傾斜カム部材９とは、直動カム（ｔｒａｎｓｌａｔｉｏｎ  ｃａｍ）と同様に、直線移動することによりこれと組む相手方を傾斜面によって直線移動させるのでこの用語を用いた。
【００１５】
上記スプリング１２は、常時は取付枠体１１を屋外側へ付勢して、そこに装着した縦長状の弾性パッキン１３がシャッター本体１の外側面に当接せぬようにしており、シャッター本体１の下降時に傾斜カム部材９の傾斜縦面１０が受け部材１４と接合した際のカム作用で、取付枠体１１がスプリング力に抗してシャッター本体１側へ僅かに移行するようにしてある。またその際同時に、シャッター本体１が引かれて取付枠体１１側へ僅かに移行可能となっている。
【００１６】
なお、上記各スラット２は鋼板製特にステンレス製とすることが望ましく、また縦長状の弾性パッキンは、表面が滑らかなネオプレーンゴム製とすることが望ましい。シャッター本体１の最下段のスラット２の下端部には、床板との間からの水の浸入を阻止する弾性パッキン１５を装着してある。
【発明の効果】
【００１７】
上記構成の防水機構付きシャッター装置の作用・効果を、従来のものと比較しながら説明する。
イ）従来のものと同様に、巻上げドラム（図示略）用のモータ（図示略）を作動させれば、上端縁を該ドラムに係止されたシャッター本体１はドラムに巻き上げられることで入口等の開口部が開口される。
【００１８】
その際、ここでのシャッター本体１の全体を多数枚のスラット２で形成してあるので、最下段のスラット２までドラムに巻き上げることができる。従来のもので、シャッター本体の下部寄りを水漏れ防止用板としたものでは、シャッター本体を巻上げた際にも開口部の上部でその板が垂れ下がってしまい、開口部いっぱいまで開口できないが、本発明のシャッター装置では、シャッター本体１を巻上げれば、開口部いっぱいまで開口できる。
【００１９】
ロ）そして、シャッター本体１の掛止状態を解いて、モーターの逆回転又は自重等によりシャッター本体１を両側のガイドレール３に沿って下降させれば、スラット２が順次に下降して（例えば図２参照）、最下段のスラット２の下端縁の弾性パッキン１５が床面２１に当接し、入口等の開口部は遮蔽・閉鎖されることになる（例えば図６参照）。
【００２０】
平時はその遮蔽・閉鎖状態で良いが、従来のシャッター装置では下部寄りで各スリット間の隙間や、スリット両側とガイドレールとの隙間から水が流入した。付属設備の防水シート等を引き上げてシャッター本体下部寄りに係止させるものでは、その作業に手間がかかるし、特に夜間等ではその作業を行う者がおらず対応できない。また大量の水が押し寄せて水位が高くなった場合に対応できないし、水と共に押し寄せた浮遊物で防水シート等が損傷して、防水機能を果たせなくなることがある。
【００２１】
これに対して本発明のシャッター装置では、シャッター本体１が下降時に自動的に３つの機能が作動する。その１は、シャッター本体１が下降する場合に、その両側の上部寄りと下部寄りに設けた各傾斜カム部材９が、各側のガイドレールボックス６内に設けた受け部材１４と対応する位置へくる。これで、傾斜カム部材９の傾斜縦面１０が受け部材１４に当接し、シャッター本体１の下降に連れて、受け部材１４側から見れば、シャッター本体１がそこに取付けてある傾斜カム部材９の傾斜縦面１０に沿って外側方向へ引き寄せられる（例えば図３，図６での矢印ｍ参照）。そのため、シャッター本体１の外側面が、自動的にガイドレールボックス６内の取付枠材１１に装着されている縦長状の弾性パッキン１３に圧接することになる。
【００２２】
同時に、傾斜カム部材９側から見れば、該傾斜カム部材９の傾斜縦面１６が受け部材１４に当接し、シャッター本体１の下降に連れて、常時は屋外方向へのスプリング１２の付勢を受けている受け部材１４をバネ力に抗して屋内方向へ引き寄せる（例えば上記図３，図６での矢印ｎ参照）。そのため、該受け部材１４と取付枠材１１を介して一体の縦長状の弾性パッキン１３が、自動的に内側方向へ引き寄せられて、シャッター本体１の外側面に圧接することになる。
【００２３】
これらにより、シャッター本体１の両側部とガイドレール３との隙間が無くなり、その部分での防水効果が発揮される。
【００２４】
その２は、本発明におけるシャッター本体１の各スラット２間の連結部４では、上段のスラット２の下端部と下段のスラット２の上端部との間に、相互間で少し可動なゆとり間隔ｓを設けるとともに、シャッター本体１が下降後の状態で、上段のスラット２の下端部が下段のスラット２の上端部に当接する前に上段のスラット２の下端部を支承可能な横長状の弾性パッキン５を設けてある（例えば図１参照）。
【００２５】
これにより、順次に下段のスラット２上へ上段のスラット２が下降してきた際に、下段のスラット２の上端部と上段のスラット２の下端部が直接に当接する前に、下段のスラット２の上端部近傍の横長状の弾性パッキン５上に、上段スラット２の下端部が乗って支承され荷重が加わる（例えば図３，図６参照）。そのため、各スラット２間の連結部４は、その横長状の弾性パッキン５により水密化が行われることになり、従来のものと異なり、各ラット２間の連結部４から水が浸入してくることが防止される。
【００２６】
その３は、シャッター本体１の各スラット２の両側端に、ガイドレールボックス６内に設けた平面図で見てＬ型状部材７と掛止可能な逆Ｌ型状の撓み防止部材８を設けてある。そのため、シャッター本体１の下降で開口部が遮蔽・閉鎖された状態時に、たとえ大量の水が押し寄せて水位が上がったり、水と共に浮遊物が押し寄せてシャッター本体１に大きな力が加わっても、上記Ｌ型状部材７と掛止されている撓み防止部材８をもつ各スラット２は撓むことが無く、この点でも充分に防水効果が発揮される。
【００２７】
なお、シャッター本体１の最下段と床面２１との間でも、最下段のスラット２の下端部に設けてある弾性パッキン１５が、床板との間からの水の浸入を阻止している。
【００２８】
以上により、本発明に係るシャッター装置は、従来のこの種装置が床面に近い高さだけしか防水効果を有しないのと異なり、遮蔽・閉鎖された状態のシャッター本体１の全域において、換言すればシャッター装置を設けてある開口部の全域でシャッター本体１が水の浸入を防止できる。したがって、例えば津波や台風に伴う高潮等で押し寄せた水が大量の場合でも、その開口部全域で防水効果を発揮できる。
【図面の簡単な説明】
【００２９】
【図１】シャッター本体の連結部を示す縦断側面図である。
【図２】シャッター本体が下降中の状態を示す側面図で、図４でのＡ−Ａ断面図である。
【図３】シャッター本体が下降後の状態を示す側面図で、図５でのＡ−Ａ断面図である。
【図４】シャッター本体が下降中の状態を示す要部横断面平面図である。
【図５】シャッター本体が下降後の状態を示す要部横断平面図である。
【図６】シャッター本体が下降後の下部寄り部分の状態を示す縦断側面図である。
【発明を実施するための形態】
【００３０】
シャッター本体１の連結した各スラット２間の連結部４を、上段にあるスラット２と下段にあるスラット２とが相互間で少し可動にゆとり間隔ｓを設けると共に、下段にあるスラット２の上端部と上段にあるスラット２の下端部との間に、横長状の弾性パッキン５を設ける。またシャッター本体１の各スラット２両側端のＬ型状部材７を設けると共に、各ガイドレール６と一体６の部分に上記Ｌ型上部材と掛止可能な逆Ｌ型状の撓み防止部材８を設ける。さらに各ガイドレール６と一体の部分に、内外方向へ可動で屋外側へスプリング１２で付勢された縦長状の取付枠材１１を設けて、シャッター本体１外側面に当接可能な縦長状の弾性パッキン１３を設けると共に、取付枠材１１外側面の上・下部寄りに各受け部材１４を設る。他方、シャッター本体１外側面の両側部に、下降時に上記受け部材１４と対応する位置に、受け部材１４に当接してシャッター本体１を内側へ可動な傾斜縦面１０をもつ傾斜カム部材９を設ける。
【実施例１】
【００３１】
図１ないし図６は、本発明に係る防水機構付きシャッター装置の実施例を示すものであり、各図でシャッター本体１を間にして左側が屋内側、右側が屋外側を示す。
【００３２】
このシャッター装置も、従来のこの種のものと同様に、多数枚の横長状スラット２を上下方向へ順次に屈曲可能に連結したシャッター本体１を、両側に垂設したガイドレール３に沿って昇降可能にすると共に、上方のドラム（図示略）へ巻き上げ可能とした点では共通している。
【００３３】
各スラット２は、ここでは鋼板製の横長状で高さ約９０ｍｍ、前後幅約２８ｍｍとし、その上・下のものを連結する連結部４は、図１で示すように、各スラット２の下端部の屋内側には連結用の湾曲部１６を、また屋外側には平面状部１７を各々形成し、かつ各スラット２の上端部の屋内側には、上段のスラット２の下端部の湾曲部１６に係合して可回動に連結する湾曲部１８を、また屋外側には上段のスラット２の下端部の平面状部１７に対応する平面状部１９を形状してある。
【００３４】
上記連結部４では、上段のスラット２の下端部と下段のスラット２の上端部との間に、相互間で少し可動なゆとり間隔ｓを設けるとともに、シャッター本体１が下降した状態で、上段のスラット２の下端部が下段のスラット２の上端部に当接する前に上段のスラット２の下端部を支承可能な横長状の弾性パッキン５を設けてある。
【００３５】
ここでは該弾性パッキン５の高さを約１２ｍｍのものにし、該パッキン５の上面と上段のスラット２の下端部の平面状部１７との間隔ｔを５ｍｍとする。また連結部４で上・下段の各スラット２間の間隔ｓとして、ここでは上段のスラット２の湾曲部１６内面とそれに対向する下段のスラット２の上端部の湾曲部１８外面との間隔ｓ1 を７ｍｍ、上段のスラット２の湾曲部１６の下面とそれに対向する下段のスラット２の湾曲部１８の下側の上面との間隔ｓ2 を７ｍｍに設定してある。ｓ1 ＞ｔで、かつｓ2 ＞ｔの関係にある。
【００３６】
なお、上記横長状の弾性パッキン５の装着は、上記図１で示すように、各スラット５の上端部の屈曲部２２で弾性パッキン５の上縁の凹部２３を掛止するようにしてある。これにより、該弾性パッキン５が経時変化等で劣化した場合に、シャッター本体１を下降した状態から少し巻き上げると、各スラット２間の連結部４で隙間ｔが生じるから、容易に交換できるようになる。
【００３７】
シャッター本体１の両側部には，図２や図３で示すようにガイドレール３を立設してあり、各ガイドレール３と一体的に縦長状の各ガイドレールボックス６を設けてある。該ガイドレールボッスク６内の両側部には、図４，図５で示すように、平面図で見てＬ型状部材７を固着してある。これで、シャッター本体１の各スラット２側端部に設けた逆Ｌ型状の撓み防止部材８と掛止し合って、大量に押し寄せる水や浮遊物等のシャッター本体１に加わる外力によるシャッター本体１，各スラット２の撓みを防止可能としてある。
【００３８】
上記各ガイドレールボックス６の屋外側の内部には、上記図４，図５で示す如く屋内・外方向へ可動でかつ常時は屋外側へスプリング１２で付勢された縦長状の取付枠材１１を設けてある。この取付枠材１１の屋内側には、下降したシャッター本体１の外側面と当接可能となる縦長状の弾性パッキン１３を装着してある。この弾性パッキン１３はここではネオプレーンゴム製としてある。
【００３９】
また該各取付枠材１３の屋内側の上・下部寄りに各々、図２，図３，図６で示す如く、シャッター本体１の外側面と隙間ｋをおいて対向状に、ここではローラ形の受け部材１４を横設してある。ここではその隙間ｋを約４ｍｍにしてある。この受け部材１４は、図４，図５で示すように、上部寄りのものと下部寄りのものとは左右二列に配置しておく。
【００４０】
他方、シャッター本体１外側面の両側部に、下降時に上記各受け部材１４と対応する位置に、受け部材１４へ上方から係合可能な倒立したＬ型状で、その内側面（屋内側面）が受け部材１４に当接することで該受け部材１４を屋内側へ寄せる傾斜縦面１０の傾斜カム部材９を設けてある。この傾斜カム部材９も、図４，図５で示す如く、左右二列になるように設けておく。これは、下部寄りの傾斜カム部材９が昇・降時に上部寄りの受け部材１４に当たらぬようにするためである。
【００４１】
この部分の作用をもう一度説明すると、シャッター本体１は、受け部材１４を中心に考えれば、シャッター本体１が下降するにつれて、そこに取付けてある傾斜カム部材９の傾斜縦面１０に沿って奥外方向へここでは２ｍｍ強引き寄せられることになり、同時に、傾斜カム部材９を中心に考えれば、該傾斜カム部材９の傾斜縦面１０が、受け部材１４を外側方向へのスプリング１２の付勢に抗して奥内方向へここでは２ｍｍ強引き寄せることになる。
【００４２】
そのため、シャッター本体１の外側面が取付枠材１１に装着された縦長状の弾性パッキン１３に圧接し、同時に縦長状の弾性パッキン１３がシャッター本体１の外側面に圧接することになるから（図３，図５，図６参照）、シャッター本体１・各スラット２の両側部でも防水機能が発揮される。
【００４３】
なお、図で２５は補強アングル、２６は防水ゴム板、２７はゴム板受けを示す。上記実施例の説明中で示した材質・寸法等は一例であり、これに限定されるものではない。
【産業上の利用可能性】
【００４４】
比較的シンプルな構成で、シャッター本体１を上昇させた際は、完全に上方へ巻上げ可能で入口等を広く開口でき、シャッター本体１を下降させた際は、大量の水や浮遊物が押し寄せた場合にも充分に耐えうる頑強性を有すると共に、下縁部と床面との間は勿論のこと、各スラット間の連結部４の隙間や、各スラット２と両側のガイドレールとの隙間等の広い範囲からの水の浸入を、自動的に防止できる防水機構付きシャッター装置を必要とする場合にきわめて有用なものである。
【符号の説明】
【００４５】
１−シャッター本体
２−スラット
３−ガイドレール
４−連結部
５−弾性パッキン
６−ガイドレールボックス
７−Ｌ型状部材
８−撓み防止部材
９−傾斜カム部材
１０−傾斜縦面
１１−取付枠材
１２−スプリング
１３−弾性パッキン
１４−受け部材
１５−弾性パッキン
１６−湾曲部
１７−平面状部
１８−湾曲部
１９−平面状部
２０−凹部
２１−床面
２２−屈曲部
２３−凹部
２４−巻上げケース
２５−補強アングル
２６−防水ゴム板
２７−ゴム受け
ｓ−間隔
ｓ1 −間隔
ｓ2 −間隔
ｋ−隙間
ｍ−移動方向
ｎ−移動方向
【図１】
2010275789.tif 000003
【図２】
2010275789.tif 000004
【図３】
2010275789.tif 000005
【図４】
2010275789.tif 000006
【図５】
2010275789.tif 000007
【図６】
2010275789.tif 000008